(57)【要約】【課題】  外部から侵入する静電気の影響を効果的に排除することができ、かつ、小型化も可能なストロボ装置および同装置を備えた撮像装置を得る。【解決手段】  被写体に向けて照射光を発光するキセノン管と、キセノン管のガラス部に接触し、かつ、照射光が所定の配光となるように被写体方向への反射および開口を制限する反射傘と、反射傘の開口方向に配置される非導電性のフレネルパネルと、フレネルパネルの開口部以外を覆う非導電性外装カバーからなり、反射傘が、フレネルパネルと外装カバーの隙間からストロボ装置の内部に侵入する静電気をキセノン管の特定の極へと誘導するように構成されているストロボ装置による。【選択図】図６
2011221080.tif 000002
【特許請求の範囲】
【請求項１】
被写体に向けて照射光を発光するキセノン管と、
上記キセノン管のガラス部に接触し、かつ、上記照射光が所定の配光となるように被写体方向への反射および開口を制限する反射傘と、
上記反射傘の開口方向に配置される非導電性のフレネルパネルと、
上記フレネルパネルの開口部以外を覆う非導電性外装カバーからなるストロボ装置であって、
上記反射傘が、
上記フレネルパネルと上記外装カバーの隙間から上記ストロボ装置の内部に侵入する静電気を上記キセノン管の特定の極へと誘導するように構成されていることを特徴とするストロボ装置。
【請求項２】
上記キセノン管の上記特定の極の他方の極は絶縁部材で覆われていることを特徴とする請求項１記載のストロボ装置。
【請求項３】
上記反射傘が、
上記フレネルパネルと上記外装カバーの隙間から侵入した静電気を一次放電させるための隙間近傍に配置され、かつ、上記静電気を二次放電させるために上記キセノン管の上記特定の極へと誘導するように構成されていることを特徴とする請求項１記載のストロボ装置。
【請求項４】
上記静電気の二次放電をさせる上記キセノン管の上記特定の極は陽極であることを特徴とする請求項１乃至３のいずれかに記載のストロボ装置。
【請求項５】
上記キセノン管の陽極に、昇圧された電荷を蓄積するメインコンデンサが接続され、
上記キセノン管の陰極から半導体スイッチング素子を介して上記メインコンデンサのマイナス側に接続する発光制御回路をさらに備える請求項１乃至４のいずれかに記載のストロボ装置。
【請求項６】
上記半導体スイッチング素子は、ＩＧＢＴまたはサイリスタであることを特徴とする請求項５記載のストロボ装置。
【請求項７】
閃光を発して被写体を照明するストロボ装置を内蔵した撮像装置であって、
上記ストロボ装置が、請求項１乃至６のいずれかに記載のストロボ装置であることを特徴とする撮像装置。
【請求項８】
上記フレネルパネルの開口部を、上記撮像装置に内蔵されたストロボ装置が収納される収納位置と被写体方向に露呈される露呈位置に切り替えるポップアップ手段を有することを特徴とする請求項７に記載の撮像装置。
【請求項９】
閃光を発して被写体を照明するストロボ装置を装着する接続端子を備えた撮像装置であって、
上記接続端子に、請求項１乃至６のいずれかに記載のストロボ装置が接続されることを特徴とする撮像装置。
【発明の詳細な説明】
【技術分野】
【０００１】
本発明は、ストロボ装置に関するものであって、詳しくは、外部から侵入する静電気の影響を効果的に排除することができ、かつ、小型化も可能なストロボ装置および同装置を備えた撮像装置に関するものである。
【背景技術】
【０００２】
暗所などにおいて被写体の撮像を行うときに、撮像装置のシャッター操作と連動して発する閃光によって、被写体を照射するストロボ装置が知られている。ストロボ装置には、種々の形態がある。例えば、平常時（撮像処理を行わないとき）は、撮像装置の本体内に内蔵され、撮像処理を行うときに、その必要に応じてストロボ発光部がポップアップするポップアップ型や、撮像装置本体が備える専用インターフェース（例えばホットシュー）に装着して、撮像装置の撮像処理と連動して閃光を発する外付け型が知られている。
【０００３】
ストロボ装置は閃光を発するために内部で高電圧が生じるので、アース対策を十分に行う必要がある。また、ストロボ発光部の内部には多くの金属部材が用いられているので、これらの金属部材から内部の回路に向けて静電気を侵入させないためにも、アース対策は重要となる。
特に、発せられた閃光を被写体方向に向けて反射させる反射傘は金属部品であって、かつ、ストロボ発光部の内部回路に接しているので、これらのアース対策が不十分だと、外部から侵入した静電気が反射傘を介して内部に向けて二次放電されてしまい撮像装置の故障の原因となる。
【０００４】
特に、ポップアップ式のストロボ装置は、ストロボ発光部が可動して撮像装置本体から突出する構造を備えているので、撮像装置本体のアースとストロボ発光部のアースの接続を安定して維持することが困難である。そのため、電気的に不安定な状態になりやすく、静電気に対するアース対策の工夫が求められる。
【０００５】
ストロボ装置内部への静電気の侵入を防止することを目的として、ストロボ発光部を覆う外装カバーに絶縁性のプラスチック素材を用い、この外装カバーによって十分な沿面距離を確保することで、静電気の内部への侵入を防止するストロボ装置が知られている（特許文献１を参照）。
【０００６】
特許文献１に記載されているストロボ装置は、反射傘などの金属部品を覆うカバーに絶縁性素材を用いており、この絶縁性素材によって十分な沿面距離を確保するものであるから、ストロボ装置自体の寸法が沿面距離の確保に制約されて大きくなる。
ストロボ装置が大きくなると、特にポップアップ式のストロボ装置は、撮像装置本体の大きさにも影響を及ぼす。
つまり、特許文献１に記載されているストロボ装置では、ストロボ装置の小型化や、撮像装置の小型化を阻害する要因があるため、静電気の侵入を防止しつつ、ストロボ装置の小型化を行うにはさらに工夫が必要となる。
【発明の概要】
【発明が解決しようとする課題】
【０００７】
本発明は上記課題を鑑みてなされたものであって、ストロボ発光部の外装カバーを大きくすることなく静電気の内部への侵入を効果的に防ぐことができ、小型化も可能なストロボ装置を提供することを目的とする。
【課題を解決するための手段】
【０００８】
本発明は、ストロボ装置であって、被写体に向けて照射光を発光するキセノン管と、キセノン管のガラス部に接触し、かつ、照射光が所定の配光となるように被写体方向への反射および開口を制限する反射傘と、反射傘の開口方向に配置される非導電性のフレネルパネルと、フレネルパネルの開口部以外を覆う非導電性外装カバーからなり、反射傘が、フレネルパネルと外装カバーの隙間からストロボ装置の内部に侵入する静電気をキセノン管の特定の極へと誘導するように構成されていることを主な特徴とする。
【０００９】
また本発明は、上記ストロボ装置において、キセノン管の特定の極の他方の極は絶縁部材で覆われていることを特徴とする。
【００１０】
また本発明は、上記ストロボ装置において、反射傘が、フレネルパネルと外装カバーの隙間から侵入した静電気を一次放電させるための隙間近傍に配置され、かつ、静電気を二次放電させるためにキセノン管の特定の極へと誘導するように構成されていることを特徴とする。
【００１１】
また本発明は、上記ストロボ装置において、静電気の二次放電をさせるキセノン管の極は陽極であることを特徴とする。
【００１２】
また本発明は、上記ストロボ装置において、キセノン管の陽極に、昇圧された電荷を蓄積するメインコンデンサが接続され、キセノン管の陰極から半導体スイッチング素子を介してメインコンデンサのマイナス側に接続する発光制御回路をさらに備えることを特徴とする。
【００１３】
また本発明は、上記ストロボ装置において、半導体スイッチング素子が、ＩＧＢＴまたはサイリスタであることを特徴とする。
【００１４】
また本発明は、撮像装置であって、閃光を発して被写体を照明するストロボ装置を内蔵し、ストロボ装置が、上記のいずれかのストロボ装置であることを特徴とする。
【００１５】
また本発明は、上記撮像装置であって、フレネルパネルの開口部を、撮像装置に内蔵されたストロボ装置が収納される収納位置と被写体方向に露呈される露呈位置に切り替えるポップアップ手段を有することを特徴とする。
【００１６】
また本発明は、上記撮像装置であって、閃光を発して被写体を照明するストロボ装置を装着する接続端子を備え、この接続端子に、上記いずれかのストロボ装置が接続されることを特徴とする。
【発明の効果】
【００１７】
本発明のストロボ装置によれば、外装カバーによって沿面距離を確保するのではなく、外部から侵入する静電気を一度ストロボ発光部内の金属部品に誘導した後に、さらにそこから回路内の静電気の影響を最も受けにくい経路へと二次放電をし、この経路を介してアースへと逃がすことで、ストロボ装置および撮像装置の内部への静電気の侵入を防止することができるようになる。
【図面の簡単な説明】
【００１８】
【図１】本発明に係る内蔵型ストロボ装置を備える撮像装置の例を示すもので、（ａ）はストロボ装置の不使用状態を、（ｂ）はストロボ装置の使用状態を示す正面図である。
【図２】本発明に係る外付け型ストロボ装置を備える撮像装置の例を示す正面図である。
【図３】本発明に係るストロボ装置の例を示す回路図である。
【図４】本発明に係る撮像装置の内部構造の例を示す縦断面概略図である。
【図５】本発明に係る撮像装置の内部構造の例を示す横断面概略図である。
【図６】本発明に係る撮像装置の内部構造の例を示す横断面概略図である。
【発明を実施するための形態】
【００１９】
以下、本発明に係るストロボ装置及びこのストロボ装置を備えた撮像装置の実施の形態について図を用いて説明する。図１は、本発明に係るストロボ装置が内蔵されたポップアップ型のストロボ装置を備える撮像装置の例である。図２は、本発明に係るストロボ装置が外付けにされた外付け型ストロボ装置を装着した撮像装置の例である。
図１に示すようにポップアップ型のストロボ装置１０は、撮像装置１の上面端に備わっており、平常時（撮像処理を行わないとき）はストロボ発光部が撮像装置の本体内に収まっている（図１（ａ）参照）。撮像装置１のシャッタースイッチＳＷ１の操作や、モードダイヤルＳＷ２の操作によって、ストロボ装置１０の動作が必要になると、図１（ｂ）のようにストロボ装置１０は跳ね上がって閃光を発する状態になる。
【００２０】
また、図２に示すように、外付け型のストロボ装置１０ａは、撮像装置１の上面に設けられた専用インターフェースであるホットシューに装着され、シャッタースイッチＳＷ１の操作に連動して閃光を発するように構成されている。
【００２１】
次に、本発明に係るストロボ装置の回路構成の例について、図３を用いて説明する。図３において、ストロボ装置１０は、周知のＤＣ−ＤＣコンバータ回路等からなる昇圧回路１１の両端にメインコンデンサ１２が接続され、このメインコンデンサ１２の両端にキセノン管１３と、キセノン管１３の発光動作を制御するためのトリガ回路１４及び倍圧回路１５が接続されている。
より具体的には、メインコンデンサ１２の両端に、キセノン管１３、倍圧回路１５に含まれるダイオード２０と、倍圧回路１５とトリガ回路１４に含まれる半導体スイッチング素子であるＩＧＢＴ１８が直列に接続されている。
キセノン管１３が発光することで、被写体に閃光を照射することができる。
【００２２】
トリガ回路１４は、トリガコンデンサ１６とトリガコイル１７とＩＧＢＴ１８とからなる。トリガコイル１７の２次側にはキセノン管１３のガラス部に接する図示しない反射傘に導通するトリガ接片１３３が接続されている。トリガ接片１３３は、トリガコイル１７から出力されるトリガ電圧によって、キセノン管１３に閃光を照射させるきっかけを与えるものである。
倍圧回路１５は、倍圧コンデンサ１９とダイオード２０とＩＧＢＴ１８とからなり、ＩＧＢＴ１８はトリガ回路１４と倍圧回路１５の両方のスイッチとして用いられるようになっている。
ＩＧＢＴ１８のゲートには、撮像装置のシャッタースイッチＳＷ１の動作に同期した信号が発光制御回路２３から入力されるようになっている。
【００２３】
次に、本実施の形態に係るストロボ装置１０の構成の例について説明をする。図４は、ストロボ装置１０の内部構造の例を示す縦断面概略図である。
図４においてストロボ装置１０は、撮像処理と連動して閃光を発するキセノン管１３と、閃光を被写体の方向に向けるための反射傘１３４と、キセノン管１３に発光のきっかけを与えるトリガ接片１３３と、それらを所定の位置に固定して保持する絶縁性のプラスチック材料で形成された前カバー１３５および後カバー１３７と、前カバー１３５の開口部を覆うカバーとなるフレネルパネル１３６を有してなる。
フレネルパネル１３６と、前カバー１３５と、後カバー１３７によってストロボ装置１０の外装カバーが形成されている。
【００２４】
ストロボ装置１０は、上記のとおり外装カバーを構成する部材によって、反射傘１３４とキセノン管１３のガラス部、反射傘１３４とトリガ接片１３３とが、組み上げられた状態において十分な接触圧をもって固定されるようになっている。この接触圧によって、キセノン管１３と、反射傘１３４と、トリガ接片１３３は相互に電気的に導通する。
トリガ接片１３３は、図３の回路図にて示すようにトリガコイル１７の２次側に接続されており、トリガコイル１７により昇圧されて出力されるトリガ電圧がトリガ接片１３３から反射傘１３４を介してキセノン管１３へ導通するように構成されている。
【００２５】
図３の回路図と図４の縦断面概略図を用いて、本実施の形態に係るストロボ装置１０の動作の説明をする。
まず、図示しない電源スイッチが投入されストロボ装置１０の動作が開始されると、昇圧回路１１によって電源電池電圧が昇圧され、昇圧された電圧でメインコンデンサ１２への充電が行なわれる。メインコンデンサ１２への充電が行われると、この充電電圧がキセノン管１３の陽極１３１と陰極１３２に印加される。また、メインコンデンサ１２への充電と同時に抵抗２１を介してトリガコンデンサ１６と倍圧コンデンサ１９にも充電が行われる。メインコンデンサ１２、トリガコンデンサ１６、倍圧コンデンサ１９は昇電回路１１で昇圧された電圧と同じ電圧に充電される。
【００２６】
上記各コンデンサに充電がされた後に、撮像装置１のシャッタースイッチＳＷ１の操作によって、ＩＧＢＴ１８のゲートに接続された発光制御回路２３からの発光開始信号が入力されると、ＩＧＢＴ１８がオンになる。発光開始信号はＩＧＢＴ１８のゲートレベルをＬｏｗからＨｉｇｈにする信号である。
ＩＧＢＴ１８がオンになると、倍圧回路１５が動作をして倍圧コンデンサ１９の充電電圧がキセノン管１３の電極間に印加され、ＩＧＢＴ１８がオンになる前に印加されていた電圧の倍の電圧がキセノン管１３に印加される。
すなわち、メインコンデンサ１２の充電電圧に倍圧コンデンサ１９の充電電圧が重畳されてキセノン管１３に印加される。
これと同時にトリガ回路１４も動作をして、トリガコイル１７で昇圧されて出力されるトリガ電圧（約５ｋＶ）がトリガ接片１３３へと伝えられる。
【００２７】
トリガ電圧は、トリガ接片１３３から反射傘１３４を介してキセノン管１３へと導通される。そうするとキセノン管１３内部のキセノンガスがイオン化され、キセノン管１３のインピーダンスが低下する。このインピーダンス低下と、倍圧回路１５によるキセノン管１３の陽電極１３２と陰電極１３３の間の電位差によって放電が行われ、キセノン管１３から閃光が放出される。
【００２８】
その後、ＩＧＢＴ１８のゲートに発光停止信号が入力されるとＩＧＢＴ１８はオフになる。発光停止信号は、ＩＧＢＴ１８のゲートレベルをＨｉｇｈからＬｏｗにする信号であって、所定の露光量になると発光制御回路２３から出力される。ＩＧＢＴ１８がオフになると、キセノン管１３の放電電流経路が遮断されるので、発光が停止する。
【００２９】
キセノン管１３から放出された光は、反射傘１３４とフレネルパネル１３６によって、撮像装置１（図１、図２）の画角に最適な状態となるように配光される。
【００３０】
上記の構成を備えるストロボ装置１０において、その内部への静電気浸入経路は複数ある。例えば、キセノン管１３の陽極１３１、キセノン管１３の陰極１３２及びトリガコイル１７の２次側コイルに接続されているトリガ接片１３３もしくは反射傘１３４である。
【００３１】
反射傘１３４やトリガ接片１３３から静電気が浸入する場合は、トリガコイル１７の２次側コイルに静電気が伝わることになるが、トリガコイル１７の２次側コイルのインピーダンスは高いため、トリガコイル１７自体には静電気は流れにくい。そのため、トリガコイル１７の周辺の部品への二次放電が生じやすく、これによって、周囲部品の破損の原因となる。
また、周囲部品への二次放電が生じないとしても、トリガコイル１７に用いる巻線は非常に細いため、わずかであっても直接流れた静電気によって、絶縁皮膜の破損や巻線の断線が生じ、トリガコイル１７自体が破損するおそれもある。
【００３２】
キセノン管１３の陰極１３２から静電気が侵入する場合は、陰極１３２には倍圧回路１５のダイオード２０が順方向に接続されているので、このダイオード２０を介してＩＧＢＴ１８へと静電気が伝わる可能性がある。
そうすると、ＩＧＢＴ８には静電気が直接加わることになり、この静電気のノイズによってＩＧＢＴ８のゲート端子が誤動作して、または静電気によって直接的な破壊（ショート）が生じて、トリガ回路１４と倍圧回路１５の誤動作の原因となる。
トリガ回路１４と倍圧回路１５が誤動作すると、キセノン管１３が誤発光することになる。
【００３３】
一方、キセノン管１３の陽極１３１から静電気が侵入した場合は、陽極１３１に接続されているメインコンデンサ１２と抵抗２１によって、侵入した静電気は急激に減衰し、ストロボ装置１０を構成する他の部分への影響が少ない。
そこで、本発明に係るストロボ装置は、内部に侵入した静電気が、ストロボ装置を構成する各部品に最も影響を与えない経路に導く構造を有している。
【００３４】
本発明に係るストロボ装置の構造の特徴について、図５および図６の横断面概略図を用いて説明をする。図５および図６において、図示を省略しているが、キセノン管１３の陽極１３１と陰極１３２は図３に示した回路図における各素子に接続している。
図５に示すようにストロボ装置１０は、フレネルパネル１３６と前カバーからなる外装カバーの寸法を、その強度が確保できる程度に極力小さくているため、フレネルパネル１３６と前カバー１３５を嵌め合わせた嵌合部１４０は非常に短くなっており、十分な沿面距離を確保することができない寸法になっている。この嵌合部１４０には隙間が生じるので、ここから内部に向けて静電気が侵入することになる。
【００３５】
そこで、まず、嵌合部１４０の近傍に反射傘１３４の端部が配置されるように構成し、侵入した静電気が、反射傘１３４へと流れるようにする。
反射傘１３４に流れた静電気は、反射傘１３４に接触している金属部品に二次放電することになるので、二次放電先が上述したようにキセノン管１３の陽極１３１または陰極１３２、もしくはトリガ接片１３３になる。
【００３６】
すでに説明をしたとおり、トリガ接片１３３に接続されているトリガコイル１７はインピーダンスが高いため、反射傘１３４からの二次放電はキセノン管１３のどちらかの極になりやすい。
キセノン管１３の陰極１３２に二次放電してしまうと、ＩＧＢＴ１８の破損や誤動作の原因となるので、図６に示すようキセノン管１３の陰極１３２の金属部分にのみ絶縁性接着剤１３８を塗布して絶縁処理を行うようにする。この絶縁処理は反射傘１３４と陰極１３２の間を絶縁するものであって、陰極１３２とトリガ回路１４および倍圧回路１５の導通が絶縁されることはない。
【００３７】
このように、キセノン管１３の陰極１３２にのみ絶縁処理を行うと、反射傘１３４からの二次放電は陽極１３１に向けられるようになる。
このように、本実施の形態に係るストロボ装置１０は、フレネルパネル１３６と前カバー１３５の嵌合部１４０における沿面距離を短くし、嵌合部１４０近傍にまで反射傘１３４を配置し、外部から侵入する静電気を他に放電させずに反射傘１３４に導き、さらに、キセノン管１３の陰極１３２には反射傘１３４との間で絶縁処理を施すことで、キセノン管１３の陽極１３１への静電気を二次放電させることができるようになる。
【００３８】
上記のように、本発明に係るストロボ装置は、外装カバーを構成するフレネルパネルのサイズを小さくし静電気が侵入しても、所定の経路に導いて誤動作等が生じる部分への二次放電を防止することができ、小型であっても安定して使用できるストロボ装置を得ることができる。
【産業上の利用可能性】
【００３９】
本発明に係る巣とロゴ装置は、カメラ等の撮像装置に内蔵するものであってもよいし、撮像装置に外付けするものであってもよい。撮像装置に内蔵するものの場合、撮像装置からポップアップする形式のものであってもよいし、撮像装置に固定的に組み込まれている形式のものであってもよい。
【符号の説明】
【００４０】
１    撮像装置
１０  ストロボ装置
１３  キセノン管
１３１  陽極
１３２  陰極
１３３  トリガ接片
１３４  反射傘
１３６  フレネルパネル
１３８  絶縁性接着剤
【先行技術文献】
【特許文献】
【００４１】
【特許文献２】特開２００５−１８１８８８号公報
【図１】
2011221080.tif 000003
【図２】
2011221080.tif 000004
【図３】
2011221080.tif 000005
【図４】
2011221080.tif 000006
【図５】
2011221080.tif 000007
【図６】
2011221080.tif 000008